【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信のための方法であって、
1つまたは複数の基準信号リソースを識別するステップと、
前記1つまたは複数の基準信号リソースに関連付けられた物理リソースグループ(PRG)サイズを決定するステップであって、前記PRGサイズは、1つまたは複数のプリコーディングされた基準信号についてプリコーディングが同じである前記1つまたは複数の基準信号リソースを示す、ステップと、
前記決定されたPRGサイズに少なくとも部分的に基づいて、前記1つまたは複数の基準信号リソースを使用して、チャネル推定を実行するステップと
を含む方法。
【請求項２】
前記実行されたチャネル推定に少なくとも部分的に基づいて、チャネル状態情報(CSI)パラメータを送信するステップであって、前記CSIパラメータが、少なくともチャネル品質インジケータ(CQI)、ランクインジケータ(RI)、プリコーディング行列インジケータ(PMI)、チャネルリソースインジケータ(CRI)、またはそれらの任意の組合せを含む、ステップを
をさらに含む、請求項1に記載の方法。
【請求項３】
前記1つまたは複数の基準信号リソースのうちの各基準信号リソースが、1つまたは複数のリソースセットに関連付けられ、前記1つまたは複数のリソースセットの各々が、1つまたは複数のリソース設定に関連付けられる、請求項1に記載の方法。
【請求項４】
前記PRGサイズの指示を含むダウンリンク制御信号を受信するステップと、
前記指示に少なくとも部分的に基づいて、前記PRGサイズを決定するステップと
をさらに含み、
前記指示が、リソース指示、リソースセット構成、またはリソース設定構成において、前記PRGサイズを示し、
前記リソース指示において示される前記PRGサイズが、前記リソース指示が対応する前記1つまたは複数の基準信号リソースのうちの基準信号リソースのためのものであるか、前記リソースセット構成において示される前記PRGサイズが、前記リソースセット構成が対応するリソースセット内の前記1つまたは複数の基準信号リソースのうちの各基準信号リソースについて同じであるか、前記リソース設定構成において示される前記PRGサイズが、前記リソース設定構成が対応する任意のリソースセットのうちの前記1つまたは複数の基準信号リソースのうちの各基準信号リソースについて同じであるか、または、それらの任意の組合せである、請求項1に記載の方法。
【請求項５】
前記PRGサイズを決定する前記ステップが、
少なくとも第1のダウンリンク制御信号、または第2のダウンリンク制御信号、または両方を受信するステップであって、前記第1のダウンリンク制御信号が、PRGサイズのセットの第1の指示を含み、前記第2のダウンリンク制御信号が、前記PRGサイズのセットからの前記PRGサイズの第2の指示を含む、ステップ
を含み、
前記方法が、前記第1の指示、または前記第2の指示、または両方に少なくとも部分的に基づいて、前記PRGサイズを決定するステップをさらに含む、請求項1に記載の方法。
【請求項６】
前記PRGサイズを決定する前記ステップが、
前記1つまたは複数の基準信号リソースに関連付けられた第1のリソースおよび第2のリソースを識別するステップと、
前記第1のリソースに関連付けられた第1のPRGサイズを決定し、前記第2のリソースに関連付けられた第2のPRGサイズを決定するステップと、
前記第1のPRGサイズおよび前記第2のPRGサイズに少なくとも部分的に基づいて、前記第1のリソースおよび前記第2のリソースから好適リソースを識別するステップと、
前記好適リソースをシグナリングするチャネルリソースインジケータ(CRI)を送信するステップと
を含む、請求項1に記載の方法。
【請求項７】
基地局におけるワイヤレス通信のための方法であって、
1つまたは複数の基準信号リソースに、プリコーディング行列を適用するステップと、
前記1つまたは複数の基準信号リソースに関連付けられた物理リソースグループ(PRG)サイズを構成するステップであって、前記PRGサイズは、1つまたは複数のプリコーディングされた基準信号についてプリコーディングが同じである前記1つまたは複数の基準信号リソースを示す、ステップと、
前記1つまたは複数のプリコーディングされた基準信号を送信するステップと
を含む方法。
【請求項８】
前記1つまたは複数の基準信号リソースのうちの各基準信号リソースが、1つまたは複数のリソースセットに関連付けられ、前記1つまたは複数のリソースセットの各々が、1つまたは複数のリソース設定に関連付けられる、請求項7に記載の方法。
【請求項９】
前記PRGサイズを構成する前記ステップが、
前記PRGサイズの指示を含むダウンリンク制御信号を送信するステップ
を含み、
前記指示が、リソース指示、リソースセット構成、またはリソース設定構成において、前記PRGサイズを示す、請求項7に記載の方法。
【請求項１０】
前記PRGサイズを構成する前記ステップが、
少なくとも第1のダウンリンク制御信号、または第2のダウンリンク制御信号、または両方を送信するステップであって、前記第1のダウンリンク制御信号が、PRGサイズのセットの第1の指示を含み、前記第2のダウンリンク制御信号が、前記PRGサイズのセットからの前記PRGサイズの第2の指示を含む、ステップ
を含む、請求項7に記載の方法。
【請求項１１】
前記PRGサイズを構成する前記ステップが、
第1のリソースに関連付けられた第1のPRGサイズを構成し、第2のリソースに関連付けられた第2のPRGサイズを構成するステップであって、前記送信されたプリコーディングされた基準信号が、前記第1のリソースおよび前記第2のリソースを含む、ステップと、
チャネル状態情報(CSI)パラメータの一部として、前記第1のリソースおよび前記第2のリソースに少なくとも部分的に基づく好適リソースをシグナリングするチャネルリソースインジケータ(CRI)を受信するステップ
を含む、請求項7に記載の方法。
【請求項１２】
前記PRGサイズが、復調基準信号(DMRS)およびデータのPRGサイズ、リソースブロックグループ(RBG)サイズの倍数、前記RBGサイズの一部分、システム帯域幅、UE能力、基準信号パターン、またはそれらの任意の組合せに少なくとも部分的に基づく、請求項7に記載の方法。
【請求項１３】
ワイヤレス通信のための装置であって、
1つまたは複数の基準信号リソースを識別するための手段と、
前記1つまたは複数の基準信号リソースに関連付けられた物理リソースグループ(PRG)サイズを決定するための手段であって、前記PRGサイズは、1つまたは複数のプリコーディングされた基準信号についてプリコーディングが同じである前記1つまたは複数の基準信号リソースを示す、手段と、
前記決定されたPRGサイズに少なくとも部分的に基づいて、前記1つまたは複数の基準信号リソースを使用して、チャネル推定を実行するための手段と
を備える装置。
【請求項１４】
ワイヤレス通信のための装置であって、
1つまたは複数の基準信号リソースに、プリコーディング行列を適用するための手段と、
前記1つまたは複数の基準信号リソースに関連付けられた物理リソースグループ(PRG)サイズを構成するための手段であって、前記PRGサイズは、1つまたは複数のプリコーディングされた基準信号についてプリコーディングが同じである前記1つまたは複数の基準信号リソースを示す、手段と、
前記1つまたは複数のプリコーディングされた基準信号を送信するための手段と
を備える装置。
【請求項１５】
実行されたときに少なくとも1つのコンピュータに、請求項1から6および7から12のうちのいずれか一項に記載の方法を実行させるための実行可能な命令を含む、コンピュータプログラム。